(57)【特許請求の範囲】
【請求項１】
周面に凹部が形成された先端工具を挿入するために、少なくとも１つの貫通孔が形成され、工具本体の先端に固定された筒状体と、
該貫通孔内に設けられ、該貫通孔内で該筒状体の半径方向に移動可能であり、該凹部に係合可能な錠止体と、
該錠止体よりも該半径方向外方に設けられ、規制面と開放面とを有し、規制位置と開放位置との間で移動可能な規制部材と、
該規制部材を該規制位置方向へ付勢する第１付勢部材と、
該規制部材と一体的に該筒状体に対して移動可能であり、該筒状体の半径方向外方に位置するグリップ部とを備え、
該規制部材が該規制位置にあるときには、該規制面が該錠止体に当接して該錠止体を該半径方向外方へ移動不能とし該錠止体の該凹部への係合を維持し、該規制部材が該開放位置にあるときには、該開放面が該錠止体に対向して該錠止体を該半径方向外方へ移動可能とし該錠止体を該凹部から離脱させる非係合位置へ移動可能とし、該グリップ部及び該規制部材は該第１付勢部材の付勢力に抗して該開放位置へ移動可能な打撃工具において、
該グリップ部は、グリップ部本体と、押込み部と、該押込み部を支持する第２付勢部材とを有し、該押込み部は該第２付勢部材の方向性により規定された非押込み位置と、該第２付勢部材の弾性変形により規定される押込み位置との間で該筒状体の半径方向に移動可能であり、
該筒状体は、該押込み部が押込み位置に押込まれたときに該押込み部と係止可能な押込み部係止部を備え、該押込み部が該押込み部係止部に係止されることにより、該グリップ部及び該規制部材が該筒状体に対して移動不能となることを特徴とする打撃工具。
【請求項２】
該規制部材は、該筒状体の軸方向に移動可能であることを特徴とする請求項１記載の打撃工具。
【請求項３】
該グリップ部本体は略円筒形状をなすと共に該押込み部の通過を許容する貫通穴が形成され、
該第２付勢部材は、一端が固定端である基部をなし他端が自由端をなす長尺で片持ちの板バネからなり、該板バネの長手方向は該筒状体の軸方向に略平行に配置され、
該押込み部は、該板バネ上の固定端近傍から自由端に渡って固着して設けられ、該板バネの弾性変形により該押込み部は該貫通穴に移動可能に設けられ、該押込み部は該自由端の位置において該押込み部係止部に係止されることを特徴とする請求項２記載の打撃工具。
【請求項４】
該板バネは、該自由端に向かって該半径方向外方へ該筒状体から離間するように反返った形状をなしていることを特徴とする請求項３記載の打撃工具。
【請求項５】
該規制部材は、該板バネの半径方向内方であって該板バネの該基部近傍の位置に設けられ、該規制部材は該板バネの基部から自由端に向かう所定の位置までの部分に対向する対向面を有し、
該対向面は、該自由端に近づくにつれて該半径方向内方へ向かう曲面形状をなしていることを特徴とする請求項３記載の打撃工具。
【請求項６】
該グリップ部本体は略円筒形状をなすと共に該押込み部の通過を許容する貫通穴が形成され、
該押込み部は該貫通穴に移動可能に設けられたボタンからなり、
該第２付勢部材は、該ボタンを該グリップ部本体の半径方向外方に付勢するＣ字弾性リングにより構成されていることを特徴とする請求項２記載の打撃工具。
【請求項７】
該グリップ部本体には該グリップ部の半径方向外方に突出する凸部が設けられていることを特徴とする請求項２記載の打撃工具。
【請求項８】
該筒状体は、略筒状をしたフロントカバーと、該フロントカバーの外周に環装され略筒状をしたスリーブカバーとを備え、
該フロントカバーの一部であって該スリーブカバーの先端部相当位置は、フランジ状に該半径方向外方へ突出する突部をなし、該突部が該押込み部係止部を構成することを特徴とする請求項２記載の打撃工具。
【請求項９】
該筒状体は、略筒状をしたフロントカバーと、該フロントカバーの外周に環装されたスリーブカバーとを備え、
該スリーブカバーの先端部が該押込み部係止部を構成することを特徴とする請求項２記載の打撃工具。
【請求項１０】
該規制部材は、該筒状体の周方向に移動可能であることを特徴とする請求項１記載の打撃工具。
【請求項１１】
該グリップ部はプラスチックからなる略円筒形状をなして該グリップ部本体と該第２付勢部材と該押込み部は一体に形成され、
該第２付勢部材は該グリップ部本体から該筒状体の軸方向に延び、
該押込み部は、該第２付勢部材の反グリップ部本体側に位置して半径方向外方に突出していることを特徴とする請求項１０記載の打撃工具。
【請求項１２】
該押込み部係止部は、該筒状体の先端部に開口し該筒状体の軸方向後方に向かって延びる切欠きにより構成され、
該押込み部は押込み動作により該切欠きに係止可能であることを特徴とする請求項１１記載の打撃工具。
【請求項１３】
該グリップ部本体は略円筒形状をなすと共に該押込み部の通過を許容する貫通穴が形成され、
該第２付勢部材は、一端が固定端である基部をなし他端が自由端をなす長尺で片持ちの板バネからなり、該板バネの長手方向は該筒状体の軸方向に略平行に配置され、
該押込み部は、該板バネ上の固定端近傍から自由端に渡って固着して設けられ、該板バネの弾性変形により該押込み部は該貫通穴に移動可能に設けられ、該押込み部は該自由端の位置において該押込み部係止部に係止されることを特徴とする請求項１０記載の打撃工具。
【請求項１４】
該板バネは、該自由端に向かって該半径方向外方へ該筒状体から離間するように反返った形状をなしていることを特徴とする請求項１３記載の打撃工具。
【請求項１５】
該規制部材は、該板バネの半径方向内方であって該板バネの該基部近傍の位置に設けられ、該規制部材は該板バネの基部から自由端に向かう所定の位置まで対向する対向面を有し、
該対向面は、該自由端に近づくにつれて該半径方向内方へ向かう曲面形状をなしていることを特徴とする請求項１３記載の打撃工具。
【請求項１６】
該グリップ部はプラスチックからなることを特徴とする請求項１記載の打撃工具。
【請求項１７】
該凹部は、該筒状体の軸方向に所定長さに渡って半径が小さい縮径部により構成されてなることを特徴とする請求項１記載の打撃工具。
【請求項１８】
該凹部は、該先端工具の長手方向に延びる少なくとも１個の所定長さの溝からなることを特徴とする請求項１記載の打撃工具。
【請求項１９】
該筒状体は、略筒状をしたフロントカバーと、該フロントカバーの外周に環装され略筒状をしたスリーブカバーとを備え、該スリーブカバーはプラスチックからなることを特徴とする請求項１記載の打撃工具。
【発明の詳細な説明】
【０００１】
【発明の属する技術分野】
本発明は打撃工具に関し、特に、先端工具が、工具本体の先端に固定された筒状体に対して着脱可能な打撃工具に関する。
【０００２】
【従来の技術】
電動ハンマ等の打撃工具としては、工具本体の先端部分に固定された筒状体に先端工具が着脱可能なタイプが従来より知られている。工具本体の先端には、筒状体が固定され、筒状体内には、略棒状をした先端工具が挿入可能に構成されており、先端工具は筒状体に対して着脱可能である。先端工具の一部は、その長手方向に所定長さに渡って半径が小さい縮径部となっている。
【０００３】
筒状体の周面であって、先端工具が装着されているときに先端工具の縮径部に対向する位置には貫通孔が形成されており、貫通孔内には略球状をした錠止体が設けられている。錠止体は、貫通孔内において筒状体の半径方向に移動可能である。錠止体よりも筒状体の半径方向外方には、略筒状をした規制部材が筒状体に同軸的に設けられており、規制部材は、筒状体の軸方向に移動可能である。規制部材は規制面と開放面とを有しており、開放位置と規制位置との間で移動可能に構成されている。
【０００４】
先端工具が装着され規制面が錠止体に当接しているときには、規制部材は規制位置にあり、錠止体が規制部材の規制面に当接することによって、錠止体の筒状体の半径方向外方への移動が規制され、錠止体が縮径部に係合した状態が維持されて縮径部から脱出不能となる。このため先端工具は、縮径部に係合する錠止体によって軸方向への移動が制限され、先端工具が筒状体から取外し不能となる。錠止体が規制面に当接するときの規制部材の位置は、規制位置に相当する。
【０００５】
先端工具が装着された状態で、規制部材を移動させて開放面が錠止体に対向するときには、規制部材は開放位置にある。筒状体の軸からの距離は、開放面の方が規制面よりも長く構成されており、錠止体は、開放面に対向することによって、筒状体に形成された貫通孔内を開放面の方向、即ち、筒状体の半径方向外方へ移動可能となり、縮径部から離脱可能となる。錠止体が縮径部から脱出可能であるため、先端工具の軸方向への移動が錠止体によって制限されることはなく、先端工具は筒状体から取外し可能となる。錠止体が開放面に当接するときの規制部材の位置は、開放位置に相当する。
【０００６】
規制部材と筒状体との間には、バネからなる第１付勢部材が設けられている。第１付勢部材は、一端が筒状体に固着され他端が規制部材に固着されており、規制部材を規制位置方向へ付勢する。また、規制部材よりも筒状体の半径方向外方にはグリップ部が設けられており、グリップ部は規制部材と一体に移動可能に構成されている。
【０００７】
先端工具を筒状体から取外すときには、打撃工具のユーザはグリップ部を手で握って移動させる。この移動に伴い規制部材もグリップ部と一体に移動され、規制部材は開放位置へ移動され、先端工具は着脱可能の状態となる。そして、ユーザは、着脱可能となった先端工具を筒状体から抜取る。
【０００８】
【発明が解決しようとする課題】
しかし、作業時に先端工具により近い位置を把持することによって作業精度を向上させようとする目的で、グリップ部を把持しながら作業を行うことがあり、この場合に従来の打撃工具では、打撃時の反動等により誤ってグリップ部を移動させることにより規制部材を開放位置へと移動させてしまうことがあった。規制部材が開放位置へ移動させられると、打撃工具の操作中に先端工具が筒状体から抜け落ちてしまう恐れがあった。
【０００９】
そこで本発明は、先端工具が工具本体に対して着脱可能であり、且つ、ユーザが打撃作業中に誤って先端工具を取外し可能な状態にしてしまうことを単純な操作にて防止できる打撃工具を提供することを目的とする。
【００１０】
【課題を解決するための手段】
上記目的を達成するために、本発明は、周面に凹部が形成された先端工具を挿入するために、少なくとも１つの貫通孔が形成され、工具本体の先端に固定された筒状体と、該貫通孔内に設けられ、該貫通孔内で該筒状体の半径方向に移動可能であり、該凹部に係合可能な錠止体と、該錠止体よりも該半径方向外方に設けられ、規制面と開放面とを有し、規制位置と開放位置との間で移動可能な規制部材と、該規制部材を該規制位置方向へ付勢する第１付勢部材と、該規制部材と一体的に該筒状体に対して移動可能であり、該筒状体の半径方向外方に位置するグリップ部とを備え、該規制部材が該規制位置にあるときには、該規制面が該錠止体に当接して該錠止体を該半径方向外方へ移動不能とし該錠止体の該凹部への係合を維持し、該規制部材が該開放位置にあるときには、該開放面が該錠止体に対向して該錠止体を該半径方向外方へ移動可能とし該錠止体を該凹部から離脱させる非係合位置へ移動可能とし、該グリップ部及び該規制部材は該第１付勢部材の付勢力に抗して該開放位置へ移動可能な打撃工具において、該グリップ部は、グリップ部本体と、押込み部と、該押込み部を支持する第２付勢部材とを有し、該押込み部は該第２付勢部材の方向性により規定された非押込み位置と、該第２付勢部材の弾性変形により規定される押込み位置との間で該筒状体の半径方向に移動可能であり、該筒状体は、該押込み部が押込み位置に押込まれたときに該押込み部と係止可能な押込み部係止部を備え、該押込み部が該押込み部係止部に係止されることにより、該グリップ部及び該規制部材が該筒状体に対して移動不能となる打撃工具を提供している。
【００１１】
一実施の態様としては、該規制部材は、該筒状体の軸方向に移動可能に設けられる。かかる場合に、該グリップ部本体は略円筒形状をなすと共に該押込み部の通過を許容する貫通穴が形成され、該第２付勢部材は、一端が固定端である基部をなし他端が自由端をなす長尺で片持ちの板バネからなり、該板バネの長手方向は該筒状体の軸方向に略平行に配置され、該押込み部は、該板バネ上の固定端近傍から自由端に渡って固着して設けられ、該板バネの弾性変形により該押込み部は該貫通穴に移動可能に設けられ、該押込み部は該自由端の位置において該押込み部係止部に係止されることが好ましい。
【００１２】
また、該板バネは、該自由端に向かって該半径方向外方へ該筒状体から離間するように反返った形状をなしていることが好ましい。
【００１３】
また、該規制部材は、該板バネの半径方向内方であって該板バネの該基部近傍の位置に設けられ、該規制部材は該板バネの基部から自由端に向かう所定の位置までの部分に対向する対向面を有し、該対向面は、該自由端に近づくにつれて該半径方向内方へ向かう曲面形状をなしていることが好ましい。
【００１４】
また、該グリップ部本体は略円筒形状をなすと共に該押込み部の通過を許容する貫通穴が形成され、該押込み部は該貫通穴に移動可能に設けられたボタンからなり、該第２付勢部材は、該ボタンを該グリップ部本体の半径方向外方に付勢するＣ字弾性リングにより構成されていることが好ましい。
【００１５】
また、該グリップ部本体には該グリップ部の半径方向外方に突出する凸部が設けられていることが好ましい。
【００１６】
また、該筒状体は、略筒状をしたフロントカバーと、該フロントカバーの外周に環装され略筒状をしたスリーブカバーとを備え、該フロントカバーの一部であって該スリーブカバーの先端部相当位置は、フランジ状に該半径方向外方へ突出する突部をなし、該突部が該押込み部係止部を構成することが好ましい。
【００１７】
また、該筒状体は、略筒状をしたフロントカバーと、該フロントカバーの外周に環装されたスリーブカバーとを備え、該スリーブカバーの先端部が該押込み部係止部を構成することが好ましい。
【００１８】
他の実施の形態としては、該規制部材は、該筒状体の周方向に移動可能であることが好ましい。かかる場合に、該グリップ部はプラスチックからなる略円筒形状をなして該グリップ部本体と該第２付勢部材と該押込み部は一体に形成され、該第２付勢部材は該グリップ部本体から該筒状体の軸方向に延び、該押込み部は、該第２付勢部材の反グリップ部本体側に位置して半径方向外方に突出していることが好ましい。
【００１９】
また、該押込み部係止部は、該筒状体の先端部に開口し該筒状体の軸方向後方に向かって延びる切欠きにより構成され、該押込み部は押込み動作により該切欠きに係止可能であることが好ましい。
【００２０】
また、該グリップ部本体は略円筒形状をなすと共に該押込み部の通過を許容する貫通穴が形成され、該第２付勢部材は、一端が固定端である基部をなし他端が自由端をなす長尺で片持ちの板バネからなり、該板バネの長手方向は該筒状体の軸方向に略平行に配置され、該押込み部は、該板バネ上の固定端近傍から自由端に渡って固着して設けられ、該板バネの弾性変形により該押込み部は該貫通穴に移動可能に設けられ、該押込み部は該自由端の位置において該押込み部係止部に係止されることが好ましい。
【００２１】
また、該板バネは、該自由端に向かって該半径方向外方へ該筒状体から離間するように反返った形状をなしていることが好ましい。
【００２２】
また、該規制部材は、該板バネの半径方向内方であって該板バネの該基部近傍の位置に設けられ、該規制部材は該板バネの基部から自由端に向かう所定の位置まで対向する対向面を有し、該対向面は、該自由端に近づくにつれて該半径方向内方へ向かう曲面形状をなしていることが好ましい。
【００２３】
上述した実施の形態において、該グリップ部はプラスチックからなることが好ましい。
【００２４】
また、該凹部は、該筒状体の軸方向に所定長さに渡って半径が小さい縮径部により構成されてなることが好ましい。又は該凹部は、該先端工具の長手方向に延びる少なくとも１個の所定長さの溝からなることが好ましい。
【００２５】
また、該筒状体は、略筒状をしたフロントカバーと、該フロントカバーの外周に環装され略筒状をしたスリーブカバーとを備え、該スリーブカバーはプラスチックからなることが好ましい。
【００２６】
【発明の実施の形態】
本発明の第１の実施の形態による打撃工具１について図１乃至図５に基づき説明する。打撃工具１は工具本体１０を有しており、工具本体１０の先端には、筒状体２０が固定されている。筒状体２０内には、先端工具２が筒状体２０に対して同軸的に挿入されるように構成されており、先端工具２は筒状体２０に対して着脱可能である。筒状体２０内に挿入される先端工具２は全体的に断面が六角形であり、外周面の一部に長手方向に所定の長さに渡って半径寸法が小さく、断面が円形形状をした縮径部２Ａを有する構成をしている。
【００２７】
筒状体２０は、より具体的には、金属製の筒状をしたフロントカバー２１とプラスチック製の筒状をしたスリーブカバー２２とからなる。フロントカバー２１の一端側の部分２１Ａは工具本体１０の先端に固定されており、スリーブカバー２２は、工具本体１０に固定されているフロントカバー２１の一端側の部分２１Ａ近傍の位置から他端２１Ｂへ向かって所定の位置まで、フロントカバー２１の外周を環装した状態で設けられている。
【００２８】
フロントカバー２１の一部であってスリーブカバー２２によって環装されていない部分には、円形をした貫通孔２１ａが形成されている。貫通孔２１ａは、フロントカバー２１の周方向に等間隔で複数個形成されており、先端工具２がフロントカバー２１内に装着されているときには、先端工具２の縮径部２Ａに対向する位置関係になっている。貫通孔２１ａ内には、貫通孔２１ａの直径よりも若干小さい球状をした錠止体２３が設けられている。錠止体２３は、貫通孔２１ａ内においてフロントカバー２１の半径方向に移動可能に構成されている。錠止体２３よりもフロントカバー２１の半径方向外方には、略筒状をした規制部材２４がフロントカバー２１に同軸的に設けられており、規制部材２４は、フロントカバー２１の軸方向にのみ移動可能である。
【００２９】
規制部材２４は、フロントカバー２１の軸からの距離が先端工具２の縮径部２Ａ以外の部分の半径と錠止体２３の直径との和よりも長い開放面２４Ａを有している。開放面２４Ａは、規制部材２４の内周面上であって工具本体１０から最も離間した端部に設けられている。先端工具２がフロントカバー２１に装着され錠止体２３が開放面２４Ａに対向しているときには、規制部材２４は開放位置にある。錠止体２３は、開放面２４Ａに対向することによって、貫通孔２１ａ内を開放面２４Ａの方向、即ち、フロントカバー２１の半径方向外方へ移動可能となり、縮径部２Ａから脱出可能となる。錠止体２３が縮径部２Ａから脱出可能であるため、先端工具２の軸方向への移動が錠止体２３によって制限されることはなく、先端工具２はフロントカバー２１から取外し可能となる。錠止体２３が開放面２４Ａに対向するときの規制部材２４の位置は、開放位置に相当する。
【００３０】
また、規制部材２４は、フロントカバー２１の軸からの距離が先端工具２の縮径部２Ａにおける半径と錠止体２３の直径との和に略等しい規制面２４Ｂを有している。開放面２４Ａは、規制部材２４の内周面であって開放面２４Ａ以外の部分により構成されている。先端工具２が装着され錠止体２３が規制面２４Ｂに対向し当接しているときには、規制部材２４は規制位置にある。錠止体２３が規制部材２４の規制面２４Ｂに当接することによって、錠止体２３の、フロントカバー２１の半径方向外方への移動が規制され、錠止体２３が縮径部２Ａに係合した状態が維持されて縮径部２Ａから脱出不能となる。開放位置とは、より具体的には、規制部材２４が後述のグリップ部３０と共に一体に移動されて、規制部材２４が工具本体１０に最も接近した状態の位置である。また、規制位置とは、開放位置にあるときよりも規制部材２４が工具本体１０から離間している位置である。
【００３１】
規制部材２４とフロントカバー２１との間には、第１付勢部材に相当する圧縮バネ２５が設けられている。圧縮バネ２５は、一端がフロントカバー２１に固着され他端が規制部材２４に当接しており、規制部材２４を規制位置方向、即ち、規制部材２４が工具本体１０から離間する方向へ付勢する。規制部材２４の半径方向外方には、略円筒形状をしたグリップ部３０がフロントカバー２１に同軸的にかつフロントカバー２１に対して軸方向に移動可能に設けられている。
【００３２】
グリップ部３０は、グリップ部本体３１と押込み部３２と、第２付勢部材に相当する板バネ部材３３とを有している。グリップ部本体３１は、略円筒形状をしている。図２に示されるように、グリップ部本体３１外周面上であって工具本体１０から最も離間した一端３１Ａの近傍には、グリップ部３０の半径方向外方にフランジ状に突出する凸部３１Ｂが設けられている。また、グリップ部本体３１内周面上であって工具本体１０から最も離間した一端３１Ａの近傍には、グリップ部本体３１の半径方向内方へ突出した半径方向凸部３１Ｃが設けられている。半径方向凸部３１Ｃにより、半径方向凸部３１Ｃが設けられている部分のグリップ部本体３１の内径は縮径化されている。
【００３３】
半径方向凸部３１Ｃの工具本体１０寄りの位置には規制部材２４が配置されており、半径方向凸部３１Ｃと規制部材２４とは、互いにグリップ部３０の軸方向において対向する位置関係にある。前述のように規制部材２４は、圧縮バネ２５によって工具本体１０から離間する方向へ付勢されており、この付勢力により規制部材２４は半径方向凸部３１Ｃに当接している。グリップ部３０を握って凸部３１Ｂに指先を掛け、フロントカバー２１の軸方向に沿って工具本体１０に近づける方向にグリップ部３０を移動させると、規制部材２４は半径方向凸部３１Ｃに押されて工具本体１０に近づく方向へグリップ部３０と一体に移動する。手を離すと圧縮バネ２５の付勢力によって規制部材２４は半径方向凸部３１Ｃに当接した状態を維持しながら、工具本体１０から離間する方向へグリップ部３０と一体に移動するように構成されている。
【００３４】
グリップ部本体３１の周面であって、凸部３１Ｂが設けられている位置よりも工具本体１０寄りの位置には、略楕円形状をした８つの貫通穴３１ａが形成されている。貫通穴３１ａの長手方向は、グリップ部３０の軸方向に指向している。グリップ部本体３１の内周面側であって、半径方向凸部３１Ｃに対向する位置には、板バネ部材３３の環状固定端３３Ａが固着されている。そして図３に示されるように、環状固定端３３Ａからは、８本の板バネ３３Ｂが片持ちで工具本体１０方向に延びており、その長手方向がフロントカバー２１の長手方向に指向し、その面はグリップ部３０の周方向に指向している。なお、図３はグリップ部本体３１を取除いた図である。板バネ３３の他端は自由端３３Ｃとなっており、自由端３３Ｃは、貫通穴３１ａ内であって工具本体１０に最も接近した位置にある。板バネ３３Ｂは、固定端３３Ａから自由端３３Ｃに向かってフロントカバー２１の半径方向外方へフロントカバー２１から離間するように反返った形状をなす。また板バネ部材３３の固定端３３Ａ近傍は板バネ３３Ｂの基部をなす。
【００３５】
板バネ３３Ｂ上であってグリップ部３０の半径方向外方側には、プラスチックからなる押込み部３２が固定されている。押込み部３２は貫通穴３１ａと略同一形状をなし、貫通穴３１ａ内を通過可能に設けられ、板バネ３３Ｂによって支持された状態となっている。押込み部３２がグリップ部本体３１の半径方向内方へ向かって押圧された場合には、板バネ３３Ｂが弾性変形して押込み部３２が貫通穴３１ａ内へ没入可能な押込み位置にあり、また押込み部３２が押圧されていないときには、板バネ３３Ｂの方向性により押込み部３２は貫通穴３１ａ内に押込まれていない非押込み位置にある。即ち、押込み部３２は、板バネ３３Ｂの弾性変形により規定される押込み位置と、板バネ３３の方向性により規定される非押込み位置との間で移動可能である。
【００３６】
グリップ部本体３１の他端３１Ｄ近傍の部分は、スリーブカバー２２の半径方向外方に位置しスリーブカバー２２と対向しており、スリーブカバー２２の先端２２Ａ近傍の部分を環装した状態となっている。従って、グリップ部３０が軸方向に移動する際には、グリップ部３０の内周はスリーブカバー２２の外周面上を摺動する。スリーブカバー２２の先端２２Ａは、グリップ部３０が規制位置にあるときの貫通穴３１ａの端部よりもわずかに工具本体１０寄りに位置しており、押込み部３２の端部３２Ａに当接する押込み部係止部をなす。押込み部３２がグリップ部本体３１の半径方向内方へ押込まれた状態でグリップ部本体３１が工具本体１０に近づく方向へ移動させられたときに、スリーブカバー２２の先端２２Ａは押込み部３２の端部３２Ａに当接するように構成されている。スリーブカバー２２の外周であって先端２２Ａよりも工具本体１０寄りの位置には、スリーブカバー２２の半径方向外方へフランジ状に突出する凸部２２Ｂが設けられている。押込み部３２が押込まれていない状態でグリップ部３０が工具本体１０の方向へ移動され、この凸部２２Ｂに当接することにより、グリップ部本体３１がこれ以上工具本体１０側へ移動できないように規制される。グリップ部本体３１が凸部２２Ｂに当接したときにグリップ部３０の位置が開放位置となるように、凸部２２Ｂの位置が設定されている。
【００３７】
打撃工具１の使用時には、ユーザは一方の手で工具本体１０を把持し、他方の手でグリップ部３０を把持して操作を行う。グリップ部３０を把持することにより、図４に示されるように押込み部３２が押込まれ、グリップ部本体３１の内周面よりも押込み部３２が半径方向内方へ突出した状態となる。このとき、押込み部３２の端面３２Ａとスリーブカバー２２の先端面２２Ａとが対向する。この状態でユーザが誤ってグリップ部３０をその軸方向へ移動させるように力を加えても、押込み部３２の端面３２Ａとスリーブカバー２２の先端面２２Ａとが当接しているので、グリップ部３０は工具本体１０方向には移動不能となり、規制部材２４の規制位置から開放位置への移動が阻止される。
【００３８】
先端工具２を交換するときには、ユーザはグリップ部本体３１の凸部３１Ｂを把持し、押込み部３２を押込まないようにしてグリップ部３０を工具本体１０に近づけるように軸方向に移動させる。スリーブカバー２２の凸部２２Ｂにグリップ部３０が当接してグリップ部３０が移動不能になったときに、開放面２４Ａが錠止体２３に対向する。この状態で先端工具２をその軸方向であって工具本体１０から離間する方向へ抜いてゆくと、図５に示されるように、錠止体２３は縮径部２Ａから脱出し、先端工具２の拡径部に当接する。このとき錠止体２３は開放面２４Ａに当接している。この状態では錠止体２３によって先端工具２の軸方向の移動は規制させておらず、ユーザが先端工具２を更に軸方向に引抜くことによって先端工具２をフロントカバー２１から抜取ることができる。
【００３９】
ユーザが打撃工具１を使用中にグリップ部３０を握って操作をした場合であっても、グリップ部３０が握られることで板バネ３３が弾性変形して押込み部３２が押込まれるため、規制部材２４が規制位置から開放位置へと移動してしまうことを防止することができる。このため、打撃工具１の使用中に先端工具２が不意に飛出してしまうことを防止することができる。
【００４０】
また、板バネ３３Ｂが、固定端３３Ａから自由端３３Ｃに向かってフロントカバー２１の半径方向外方へフロントカバー２１から離間するように反返っているため、打撃工具１のユーザが押込み部３２を不意にわずかに押込んでしまった場合であっても押込み部３２の端面３２Ａがスリーブカバー２２の先端２２Ａに当接することを防止することができる。このため、グリップ部３０を移動させたいときに、押込み部３２の端面３２Ａがスリーブカバー２２の先端面２２Ａに当接してしまい移動することができなくなるといった不具合を解消することができる。また、押込み部３２の製造に際して高い精度が要求されるのを回避することができる。
【００４１】
板バネ３３Ｂの固定端３３Ａ近傍の部分のみが規制部材２４に対向している。規制部材２４は、板バネ３３Ｂの固定端３３Ａ相当位置から自由端３３Ｃに向かう所定の領域に設けられており、板バネ３３Ｂに対向する対向面２４Ｃを有する。対向面２４Ｃは、押込み部３２が押込まれたときに、板バネ３３Ｂが当接する面である。対向面２４Ｃは、板バネ３３Ｂの基端３３Ａから自由端３３Ｃ方向に向かって、フロントカバー２１の半径方向内方へ向かう曲面となっている。このため、押込み部３２が押込まれ板バネ３３Ｂが対向面２４Ｃに当接したときに、板バネ３３Ｂが規制部材２４の端部で折曲げられてしまうのを防止することができる。
【００４２】
次に本発明の第２の実施の形態による打撃工具１０１について図６に基づき説明する。第２の実施の形態による打撃工具１０１は、押込み部がボタン１３２により構成され、また、第２付勢部材としてＣ字弾性リング１３３が用いられる点において第１の実施の形態による打撃工具１とは異なっており、これら以外は、第１の実施の形態による打撃工具１と同一である。
【００４３】
図６に示されるように、グリップ部本体１３１に形成された貫通穴１３１ａには、貫通穴１３１ａと略同一形状をしたボタン１３２が、貫通穴１３１ａ内をグリップ部１３０の半径方向に移動可能に設けられている。グリップ部本体１３１の内周面であって貫通穴１３１ａの周囲には、凹部１３１ｄが形成されてる。ボタン１３２の一部であってグリップ部１３０の半径方向内側の端部は、フランジ状の凸部１３２Ｃが設けられている。凸部１３２Ｃは、凹部１３１ｄに係合可能に構成されており、この係合により、ボタン１３２が所定位置よりもグリップ部１３０の半径方向外方へ移動するのを制限し、ボタン１３２が貫通穴１３１ａからグリップ部１３０の外部へと飛出してしまうのを防止している。
【００４４】
ボタン１３２の内面側略中央の位置には環状凹部１３２ａが形成されており、凹部１３２ａには、略円形のＣ字弾性リング１３３の外周面側が係合している。Ｃ字弾性リング１３３は、その半径方向外方へ拡径するように弾性変形された状態で環状凹部２３２ａに係合しており、ボタン１３２をグリップ部本体１３１の半径方向外方へと常時付勢している。従って、ボタン１３２に外部から力が作用しておらずボタン１３２が押込まれていない状態では、凸部１３２Ｃが凹部１３２ａに係合する非押込み位置にボタン１３２が位置するように構成されている。そしてボタン１３２がＣ字弾性リング１３３の付勢力に抗して貫通穴１３１ａ内に没入したとき、ボタン１３２の凸部１３２Ｃの端面は、スリーブカバー１２２の端面１２２Ａに当接可能に設けられている。
【００４５】
第１の実施の形態と同様に、先端工具を取外すときは、ボタン１３２を押圧することなく、単にグリップ部本体１３１の凸部１３１Ｂに指をかけて、グリップ部本体１３１を後方に移動させる。一方打撃工具１０１の使用時には、図６に示される状態からグリップ部１３０を把持してボタン１３２を押圧することにより、ボタン１３２の凸部１３２Ｃがスリーブカバー１２２の先端面１２２Ａに当接するので、グリップ部本体１３１を不意に後方に移動させることが不可能となる。よって、打撃作業時の先端工具２の脱落を防止することができる。
【００４６】
次に本発明の第３の実施の形態による打撃工具２０１について図７に基づき説明する。第３の実施の形態による打撃工具２０１は、押込み部係止部がスリーブカバー２２２の先端面ではなく、フロントカバー２２１の凸部２２１Ｃにより構成されている点において第１の実施の形態による打撃工具１とは異なっており、これら以外は、第１の実施の形態による打撃工具１と同一である。具体的には、スリーブカバー２２２の先端と対向する位置は、フランジ状にフロントカバー２２１の半径方向外方へ突出する突部２２１Ｃが設けられている。突部２２１Ｃは、スリーブカバー２２２の外周面相当位置に至るまでフロントカバー２２１の半径方向外方へ突出しており、突部２２１Ｃの半径方向外方の先端とスリーブカバー２２２の外周面とは面一になっている。押込み部３２がグリップ部３０の半径方向内方へ押込まれた状態でグリップ部３０が工具本体１０の方向へ付勢されたとしても、押込み部３２の後端面３２Ａが凸部２２１Ｃの先端面に当接するので、グリップ部３０の後方への移動が阻止される。突部２２１Ｃは押込み部３２の端面３２Ｂに当接する押込み部係止部をなす。
【００４７】
次に本発明の第４の実施の形態による打撃工具４０１について図８乃至図１２に基づき説明する。第４の実施の形態による打撃工具４０１は、グリップ部４３０及び規制部材４２４の移動可能な方向がフロントカバー４２１の周方向である点、及び、押込み部係止部がスリーブカバー４２２に切欠き４２２ａが形成されてなる点において第１の実施の形態による打撃工具１とは異なっている。
【００４８】
上述のようにグリップ部４３０及び規制部材４２４は、フロントカバー４２１の周方向に回動可能に構成されており、規制部材４２４の開放面４２４Ａ（図９、１２）は、規制部材４２４の軸方向の略中央の位置に形成された略半球凹部形状の内周面からなる。図９に示されるように、開放面４２４Ａは規制部材４２４の内周において周方向に等間隔で６つ形成されている。錠止体２３もフロントカバー４２１の周方向に等間隔に６個設けられている。規制部材４２４が周方向に回転されて開放位置にあるときには、６つの錠止体２３が同時に６つの開放面４２４Ａにそれぞれ係合可能に構成されている。規制面４２４Ｂは、規制部材４２４の内周面であって開放面４２４Ａ以外の部分からなる。規制部材４２４が規制位置にあるときには、６つの錠止体２３が規制面４２４Ｂに当接し、規制部材４２４の半径方向外方へ移動不能とされることにより、錠止体２３は先端工具２の縮径部２Ａに係合した状態が維持される。このことにより、先端工具２の軸方向への移動が制限され、フロントカバー４２１から先端工具２を抜取ることができなくなる。
【００４９】
規制部材４２４とフロントカバー４２１との間には、第１付勢部材に相当するねじりバネ４２５が設けられている。ねじりバネ４２５は、一端がフロントカバー４２１に固着され他端が規制部材４２４に固着されており、規制部材４２４を図９に示される位置である規制位置方向へと回転付勢している。また、グリップ部４３０と規制部材４２４とは、図示しない手段により回転方向に固定されており、グリップ部４３０の回転に連動して規制部材４２４が回転する構成となっている。従って、規制部材４２４及びグリップ部４３０に外部から力が作用していないときには、規制部材４２４は規制位置にあり、ユーザが手でグリップ部４３０を握り、ねじりバネ４２５の付勢力に抗して規制部材４２４と共にグリッブ部４３０を回転することにより、規制部材４２４を開放位置へ移動させることが可能に構成されている。
【００５０】
第１の実施の形態における板バネ３３及び押込み部３２（図３）が設けられ、スリーブカバー４２２の先端４２２Ａは、板バネ３３Ｂ及び押込み部３２よりもスリーブカバー４２２の半径方向内方に位置しており、スリーブカバー４２２の半径方向において板バネ３３及び押込み部３２と対向する位置関係にある。先端４２２Ａの部分には、図１０に示されるように、切欠き４２２ａが形成されている。切欠き４２２ａは、先端４２２Ａをなす端面からスリーブカバー４２２の軸方向にコの字状に切欠いた状態で形成されており、スリーブカバー４２２の先端４２２Ａにおいて開口した状態となっている。切欠き４２２ａの数は、押込み部３２の数と同数の８つであり、スリーブカバー４２２の周方向に等間隔で形成されており、８つの切欠き４２２ａに８つの板バネ３３及び押込み部３２が同時に対向可能に構成されている。スリーブカバー４２２の周方向における切欠き４２２ａの幅は押込み部３２の幅に略等しく、板バネ３３Ｂが切欠き４２２ａに対向しているときに押込み部３２が押込まれると、板バネ３３Ｂ及び押込み部３２が切欠き４２２ａ内に進入することができるようになっている。板バネ３３が切欠き４２２ａ内に進入した状態では、押込み部３２が切欠き４２２ａによって係止された状態となっており、グリップ部４３０は周方向に回転不能となる。押込み部３２が切欠き４２２ａ内に進入していない状態では、押込み部３２が切欠き４２２ａによって係止されていない状態となっており、グリップ部４３０は周方向に回動可能である。
【００５１】
打撃工具４０１の使用時には、ユーザは一方の手で工具本体１０を把持し、他方の手でグリップ部４３０を把持して操作を行う。グリップ部４３０を把持することにより、図１１に示されるように押込み部３２が押込まれ、グリップ部本体４３１の内周面よりも押込み部３２が半径方向内方へ突出し、板バネ３３Ｂ及び押込み部３２は切欠き４２２ａに係合する。この状態では、作業時に発生する振動等によってユーザが誤ってグリップ部４３０をその周方向に移動させるように力を加えた場合であっても、グリップ部４３０は周方向には移動せず、これに伴い規制部材４２４は規制位置から開放位置へと移動することを阻止される。
【００５２】
先端工具２を交換するときには、ユーザはグリップ部本体４３１を把持し、押込み部３２を押込まないようにしてグリップ部４３０をフロントカバー４２１の周方向へ回動させる。開放面４２４Ａが錠止体２３に対向する位置まで回転したら、先端工具２をその軸方向であって工具本体１０から離間する方向へ引抜く。このとき錠止体２３は、図１２に示されるように、縮径部２Ａから脱出し、先端工具２の拡径部に当接する。この状態では錠止体２３は開放面４２４Ａに当接しており、錠止体２３によって先端工具２の軸方向の移動は制限させておらず、ユーザが先端工具２を更に軸方向に引抜くことによって先端工具２をフロントカバー４２１から抜取ることができる。
【００５３】
次に本発明の第５の実施の形態による打撃工具について図１３乃至図１４に基づき説明する。第５の実施の形態による打撃工具は、グリップ部本体５３１と押込み部と第２付勢部材とがプラスチック材料にて一体に形成されている点、及び、スリーブカバーに形成された切欠きの数が８個ではなく１２個である点において第４の実施の形態による打撃工具４０１とは異なっており、これら以外は、第４の実施の形態による打撃工具４０１と同一である。
【００５４】
上述のように、図示せぬスリーブカバーの先端に形成された切欠きの数は１２個であり、スリーブカバーの周方向に等間隔で形成されている。グリップ部５３０はプラスチックからなり、図１３に示されるように略筒状をなし、図示せぬフロントカバーに同軸的に設けられている。図示せぬ工具本体に近い側の一端５３０Ａ近傍は外径が大きくなっており、この部分は押込み部をなす。グリップ部５３０には、他端５３０Ｂへ向かって所定の位置に至るまで１２本のスリット５３０ａが形成されている。スリット５３０ａはグリップ部５３０の周方向に等間隔で形成されており、隣接する２本のスリット５３０ａによって弾性変形可能な長尺状部５３４が規定されている。長尺状部５３４の押込み部をなす部分以外の部分は第２付勢部材に相当し、押込み部と第２付勢部材とは一体に設けられている。グリップ部５３０の他端５３０Ｂ近傍であってスリット５３０ａが形成されていない部分は、グリップ部本体５３１をなす。従って、第２付勢部材は、グリップ部本体５３１において軸方向に延びて設けられた状態となっており、押込み部は、第２付勢部材の反グリップ部本体側に位置して半径方向外方に突出した状態となっている。
【００５５】
スリーブカバーの先端部は、第４の実施の形態による打撃装置と同様に、長尺状部５３４よりもスリーブカバーの半径方向内方に位置しており、スリーブカバーの半径方向において長尺状部５３４の一部であってグリップ部５３０の一端５３０Ａに相当する部分に対向する位置関係にある。グリップ部５３０の一端５３０Ａ近傍の長尺状部５３４の内周面には、グリップ部５３０の外周面に対して半径方向内方へ相対的に突出する凸部５３５がそれぞれ設けられている。凸部５３５は、図示せぬスリーブカバーに形成された切欠きと略同一形状をしており、切欠きに対向可能且つ進入可能である。より詳細には、凸部５３５の一部であってグリップ部５３０の内周面をなす面５３５Ａは、凸部５３５が設けられていない位置におけるグリップ部５３０の内周面をなす長尺状部の面５３４Ａと面一である。前述のようにグリップ部５３０の一端５３０Ａの外周は拡径しており、それに伴い、グリップ部５３０一端５３０Ａ近傍における内周面５３０Ｂもグリップ部５３０の他の部分における内周面よりも拡径している。これに対して凸部５３５の面５３５Ａは面５３４Ａと面一であるため、グリップ部５３０の外周に対して相対的に半径方向内方へ突出した状態となっている。凸部５３５が切欠きに対向しているときに押込み部が押込まれると、凸部５３５が切欠き内に進入することができるようになっている。凸部５３５が切欠き内に進入した状態では、押込み部が切欠きによって係止された状態となっており、グリップ部５３０は周方向に回動不能となる。凸部５３５が切欠き内に進入していない状態では、押込み部が切欠きによって係止されていない状態となっており、グリップ部５３０は周方向に回動可能である。
【００５６】
グリップ部本体５３１と押込み部と第２付勢部材とが一体に形成されているため、グリップ部５３０の製造工程を簡略化することができ、打撃工具のコストダウンを図ることができる。
【００５７】
本発明による打撃工具は上述した実施の形態に限定されず、特許請求の範囲に記載した範囲で種々の変形や改良が可能である。例えば、本実施の形態による打撃工具１では、先端工具２に縮径部２Ａが設けられていたが、縮径部２Ａに変えて先端工具の長手方向に延び錠止体が係合可能な所定長さの溝が形成されるようにしてもよい。
【００５８】
また、第１の実施の形態によるグリップ部３０に代えて、第５の実施の形態によるグリップ部５３０を用いてもよい。この場合には、第１の実施の形態によるグリップ部３０の凸部３１Ｂを、グリップ部５３０の外周面上であって他端５３０Ｂ近傍の位置に、フランジ状に突出する凸部を設けるのが好ましい。また、この場合には、長尺状部５３４の内周に凸部を設けなくてもよい。更に、錠止体は球形のみならず、ローラ形状や断面形状が角形状のものであってもよい。
【００５９】
また、第２の実施の形態による打撃工具は、グリップ部１３０が軸方向に移動することにより先端工具２の着脱を行うものであるが、第４の実施の形態による打撃工具のようにグリップ部１３０が回転することにより先端工具２の着脱を行う構成としてもよい。
【００６０】
なお、押込み部係止部の外径をグリップ部内径よりも小さく形成し、押込み部がわずかに押し込まれた場合には押込み部が押込み係止部に係止しない構成とすることにより、ユーザーがグリップ部を軸方向移動あるいは回動操作して規制部材を開放位置へ移動させようとしたときに誤って押込み部をわずかに押込んでしまったとしても、グリップ部が軸方向移動もしくは回動操作できなくなるという不具合を防止することができる。
【００６１】
【発明の効果】
請求項１記載の打撃工具によれば、打撃工具の使用時にユーザがグリップ部を握っても、グリップ部が握られることで第２付勢部材が弾性変形して押込み部が押込まれ、押込み部が押込み部係止部に係止されることにより、グリップ部及び規制部材が筒状体に対して移動不能となるので、規制部材を規制位置から開放位置へと移動することを防止することができる。このため、打撃工具の使用中に不意に規制部材が開放位置へ移動され、先端工具が飛出してしまうことを防止することができる。
【００６２】
従って、打撃動作中にユーザがグリップ部を握っていないときには、先端工具が脱落してしまうことはないが、打撃動作中にユーザがグリップ部を握ったときであっても、その自然な動作によって第２付勢部材の弾性変形により押込み部がワンタッチで押込み部係止部に係止されるので、打撃動作中に先端工具が不意に脱落することを確実に防止することができる。
【００６３】
請求項４、１４記載の打撃工具によれば、板バネが自由端に向かって半径方向外方へ筒状体から離間するように反返っているため、打撃工具のユーザが押込み部を不意にわずかに押してしまった場合であっても、押込み部が押込み部係止部に当接してしまうことを防止することができ、グリップ部を移動させたいときに移動することができないといった不具合を解消することができる。また、押込み部の製造に際して高い精度が要求されるのを回避することができる。
【００６４】
請求項５、１５記載の打撃工具によれば、対向面は、自由端に近づくにつれて半径方向内方へ向かう曲面を有しているため、押込み部が押込まれ板バネが当接面に当接したときに、板バネが、当接面によって折曲げられてしまうの防止することができる。
【００６５】
請求項７記載の打撃工具によれば、グリップ部本体にはグリップ部の半径方向外方に突出する凸部が設けられているため、この凸部に指先を掛けて、グリップ部を容易に筒状体の軸方向に移動させることができる。
【００６６】
請求項１１記載の打撃工具によれば、グリップ部本体と第２付勢部材と押込み部は弾性を具備するプラスチック材料にて一体に形成されるようにしたため、グリップ部の製造工程を簡単にすることができ、コストダウンを図ることができる。
【００６７】
請求項１６記載の打撃工具によれば、グリップ部はプラスチックからなるため、打撃動作によって工具内部に発生した熱が工具を把持するユーザに伝わりにくくなり、ユーザは快適にグリップ部を把持することができる。
【００６８】
請求項１９記載の打撃工具によれば、スリーブカバーはプラスチックからなるため、打撃動作によって工具内部に発生した熱が、工具外周側にあるスリーブカバーで防御され、ユーザは安全に工具を使用することができる。
【図面の簡単な説明】
【図１】本発明の第１の実施の形態による打撃工具を示す斜視図。
【図２】本発明の第１の実施の形態による打撃工具の要部断面図。
【図３】第１の実施の形態におけるグリップ部において、グリップ部本体を除いた斜視図。
【図４】本発明の第１の実施の形態による打撃工具のグリップ部の押込み部が押込まれた状態を示す要部断面図。
【図５】本発明の第１の実施の形態による打撃工具の規制部材が、開放位置に移動させられた状態を示す要部断面図。
【図６】本発明の第２の実施の形態による打撃工具を示す要部断面図。
【図７】本発明の第３の実施の形態による打撃工具を示す要部断面図。
【図８】本発明の第４の実施の形態による打撃工具を示す要部断面図。
【図９】図８のＩＸ−ＩＸ線に沿った断面図。
【図１０】本発明の第４の実施の形態による打撃工具のスリーブカバーの先端部を示す斜視図。
【図１１】本発明の第４の実施の形態による打撃工具のグリップ部の押込み部が押込まれた状態を示す要部断面図。
【図１２】本発明の第４の実施の形態による打撃工具の規制部材が、開放位置に移動させられた状態を示す要部断面図。
【図１３】本発明の第５の実施の形態による打撃工具のグリップ部を示す斜視図。
【図１４】図１３のＸＩＶ−ＸＩＶ線に沿った断面図。
【符号の説明】
１、１０１，２０１、４０１    打撃工具
２        先端工具
２Ａ      縮径部
１０        工具本体
２０      筒状体
２１、２２１    フロントカバー
２１ａ    貫通孔
２２、１２２、２２２、５２２    スリーブカバー
２３      錠止体
２４、４２４    規制部材
２４Ａ、４２４Ａ    開放面
２４Ｂ、４２４Ｂ    規制面
２４Ｃ    対向面
２５      圧縮バネ
３０、１３０、４３０、５３０    グリップ部
３１、１３１、４３１、５３１    グリップ部本体
３２      押込み部
３３      板バネ部材
３３Ａ    固定端
３３Ｂ    板バネ
３３Ｃ    自由端
１３２    ボタン
１３３    Ｃ字弾性リング
２２１Ｃ  凸部
４２２ａ  切欠き
５３５    凸部
【図１】
0004182679.tif 000002
【図２】
0004182679.tif 000003
【図３】
0004182679.tif 000004
【図４】
0004182679.tif 000005
【図５】
0004182679.tif 000006
【図６】
0004182679.tif 000007
【図７】
0004182679.tif 000008
【図８】
0004182679.tif 000009
【図９】
0004182679.tif 000010
【図１０】
0004182679.tif 000011
【図１１】
0004182679.tif 000012
【図１２】
0004182679.tif 000013
【図１３】
0004182679.tif 000014
【図１４】
0004182679.tif 000015